(57)【要約】【課題】一体感があり、かつ簡明な外観を有する手持ち電子装置を提供する。【解決手段】第１ボディと第２ボディと伝動機構とを含む手持ち電子装置を提供する。第２ボディが第１ボディ上に積み重ねられる。第２ボディが第１ボディに対向する一側に凹所を有する。伝動機構が第１プレートと第２プレートと回転要素とを含む。第１プレートが第１ボディ上に固定される。第２プレートがスライドするように前記第１プレートに連結される。回転要素の一端が第２ボディ上にピボット付けされるとともに、回転要素の他端が第２プレート上にピボット付けされる。第１ボディが第２ボディに対して凹所に向けてスライドする時、回転要素が回転し、かつ第１ボディが凹所へ進入するよう駆動する。【選択図】図２
0003162460.tif 000002
【実用新案登録請求の範囲】
【請求項１】
第１ボディと、
前記第１ボディ上に積み重ねられ、前記第１ボディに対向する一側に凹所を有する第２ボディと、
前記第１ボディ上に固定される第１プレートと、スライドするように前記第１プレートに連結される第２プレートと、前記第２ボディ上にピボット付けされる一端および前記第２プレート上にピボット付けされる他端として提供され、前記第１ボディが前記第２ボディに対して前記凹所に向けてスライドする時、回転するとともに、前記第１ボディが前記凹所へ進入するよう駆動する回転要素とを含む伝動機構と、を備える手持ち電子装置。
【請求項２】
前記第１ボディが前記凹所へ進入した後、前記第１ボディのトップ表面が実質的に前記第２ボディのトップ表面と同一平面上にある請求項１記載の手持ち電子装置。
【請求項３】
伝動機構が、更に、第１弾性要素であり、前記第１プレートおよび前記第２プレート間に連接され、そのうち、前記第１ボディが前記第２ボディに対して前記凹所に向けてスライドする時、前記第１弾性要素が変形して弾性ポテンシャルを蓄積する、第１弾性要素を含むものである請求項１記載の手持ち電子装置。
【請求項４】
前記第１弾性要素が、螺旋状（helical spring）バネである請求項３記載の手持ち電子装置。
【請求項５】
前記伝動機構が、更に、第２弾性要素であり、前記回転要素および前記第２ボディ間に連接され、そのうち、前記回転要素の回転により前記第１ボディが前記凹所へ進入する時、前記第２弾性要素が変形するとともに、弾性ポテンシャルを蓄積する、第２弾性要素を含む請求項１記載の手持ち電子装置。
【請求項６】
前記第２弾性要素が、螺旋状（helical spring）バネである請求項５記載の手持ち電子装置。
【請求項７】
前記伝動機構が、更に、第３弾性要素であり、前記回転要素および前記第２プレート間に連接され、そのうち、前記回転要素の回転により前記第１ボディが前記凹所へ進入する時、前記第３弾性要素が変形するとともに、弾性ポテンシャルを蓄積する、第３弾性要素を含むものである請求項１記載の手持ち電子装置。
【請求項８】
前記第３弾性要素が、コイルばね（helical spring）である請求項７記載の手持ち電子装置。
【請求項９】
前記第１ボディが第１要素を有し、前記第２ボディが第２要素を有するとともに、前記第１ボディが前記凹所へ進入する時、前記第１要素および前記第２要素が互いに固定されて、前記第１ボディを前記凹所中に位置させるものである請求項１記載の手持ち電子装置。
【請求項１０】
前記第１要素および前記第２要素が、互いに磁気吸引力を誘導し、かつ前記磁気吸引力により共に吸引しうる磁性要素である請求項９記載の手持ち電子装置。
【請求項１１】
前記第２ボディが更に第３要素を有し、前記第１要素および前記第３要素が互いに磁気反発力を誘導できる磁性要素であるとともに、前記第１ボディが前記第２ボディに対してスライドする時、前記第１ボディが前記磁気反発力により前記凹所から遠ざけられるものである請求項１０記載の手持ち電子装置。
【請求項１２】
前記第１要素および前記第２要素が、構造的干渉により互いに噛み合わせるための組み合わされた留め具である請求項９記載の手持ち電子装置。
【請求項１３】
更に、解錠スイッチであり、前記第１ボディまたは前記第２ボディ上に配置されるとともに、前記第１要素または前記第２要素に連接され、そのうち、前記第１要素および前記第２要素間の連結が前記解錠スイッチを押すことにより解放されて、前記第１要素および前記第２要素を互いに離れるよう移動するよう駆動する、解錠スイッチを含む請求項９記載の手持ち電子装置。
【請求項１４】
前記第２プレートがストッパーを有し、前記ストッパーおよび前記回転要素間の構造的干渉により前記回転要素のストローク経路を制限するものである請求項９記載の手持ち電子装置。
【考案の詳細な説明】
【技術分野】
【０００１】
この考案は、電子装置に関する。特に、この発明は、手持ち（handheld）電子装置に関する。
【背景技術】
【０００２】
情報技術の発展に伴って、電子装置から必要な情報を入手することがより容易なものとなっている。その一方で、産業工学の進展により、各種の電子装置が軽くて薄くて短くて小さなものへという一般的な傾向を有するものとなっているとともに、電子装置が携帯できるという特性と利点とのために、それらが人々の日常生活に広く使用されている。
【０００３】
モバイルフォン（mobile phones）を例に挙げれば、携帯できることの必要性および異なる嗜好性ならびに要求に適合させるため、従来の直立型モバイルフォン（bar-type mobile phone  ストレート式）のほかに、モバイルフォンは、更に、クラムシェル型モバイルフォン（clamshell-type mobile phone  折り畳み式）・スイベル型モバイルフォン（swivel-type mobile phone  回転式）およびスライド型モバイルフォン（sliding-type mobile phone  スライド式）などがある。スライド型モバイルフォンを例に挙げれば、その上ボディがその下ボディに対して積み重ねられるとともに、スライドできるものであり、開閉において異なる操作モードを提供する。２つのボディを積み重ねることによりモバイルフォンの全体的なサイズを縮小する利点があるとともに、２つのボディが展開モード期間に広げられる。
【考案の概要】
【考案が解決しようとする課題】
【０００４】
キーボードを有する２層（two-layer）スライド型ホーンを例に挙げれば、その操作方法は、次の通りである。スライド型ホーンのディスプレイスクリーンがキーボードの一側へスライドできて、キーボードが露出されるので、ユーザーが入力を容易に行える。しかしながら、そのような設計の場合、ディスプレイスクリーンがキーボードに対してスライドした後、高度差がそれら間に形成されて、段状側面（step profile）を呈し、スライド型ホーンの外観が一体感を欠くものとなる。また、ディスプレイスクリーンがキーボードに対してスライドした後、スライド溝が全般的に露出されて、スライドホーンの外観に影響を及ぼすものとなる。
【０００５】
そこで、この考案の目的は、一体感があり、かつ簡明な外観を有する手持ち電子装置を提供することにある。
【課題を解決するための手段】
【０００６】
出願は、第１ボディと、第２ボディと、伝動機構とを含む手持ち電子装置を提供する。第２ボディが第１ボディ上に積み重ねられるとともに、第２ボディが第１ボディに対向する一側に凹所を有する。伝動機構が第１プレートと第２プレートと回転要素とを含む。第１プレートが第１ボディ上に固定される。第２プレートがスライドするように前記第１プレートに連結される。回転要素の一端が第２ボディ上にピボット付けされるとともに、回転要素の他端が第２プレート上にピボット付けされる。第１ボディが第２ボディに対して凹所に向けてスライドする時、回転要素が回転し、かつ第１ボディが凹所へ進入するよう駆動する。
【０００７】
従って、第２ボディに対して凹所に向かってスライドした後、第１ボディが凹所へ進入し、第１ボディおよび第２ボディが実質的に同一平面となり、手持ち電子装置の外観の一体感を維持する。そのため、手持ち電子装置の外観の一体感が向上する。さらに、第１ボディおよび第２ボディ間の相対的なスライドが第１プレートおよび第２プレートにより駆動されて、第１ボディまたは第２ボディ上のスライド溝の形成が不必要となるとともに、手持ち電子装置の外観が簡明なものとなる。
【考案の効果】
【０００８】
つまり、第２ボディに対して凹所に向かってスライドした後、第１ボディが凹所へ進入するため、第１ボディのトップ表面が第２ボディのトップ表面と実質的に同一平面であるよう保持できる。従って、手持ち電子装置の外観の一体感が維持される。さらに、第１ボディおよび第２ボディ間の相対的なスライドが第１プレートおよび第２プレートにより駆動されて、第１ボディまたは第２ボディ上のスライド溝の形成が不必要となり、かつ手持ち電子装置の外観がより簡明なものとなる。また、磁気要素またはファスナー（留め具）を介して、第１ボディが第２ボディの凹所に位置することができ、展開モード中の手持ち電子装置を保持する。弾性要素により蓄積された弾性ポテンシャルが第１ボディを引き戻すために使用できるとともに、第１ボディおよび第２ボディを収納させて、手持ち電子装置を操作することの利便性を向上させる。
【図面の簡単な説明】
【０００９】
【図１】発明の実施形態にかかる手持ち電子装置を示す概略的な説明図である。
【図２】図１の手持ち電子装置を示す展開図である。
【図３】図１の手持ち電子装置の要部側面を示す断面図である。
【図４Ａ】図１の手持ち電子装置の操作プロセスを示す概略的な説明断面図である。
【図４Ｂ】図１の手持ち電子装置の操作プロセスを示す概略的な説明断面図である。
【図５Ａ】図１の手持ち電子装置の展開モードを示す側面図である。
【図５Ｂ】図１の手持ち電子装置の展開モードを示す側面図である
【図６Ａ】発明の別な実施形態にかかる手持ち電子装置の展開モードを示す側面図である。
【図６Ｂ】発明の別な実施形態にかかる手持ち電子装置の展開モードを示す側面図である。
【考案を実施するための形態】
【００１０】
以下、この考案を実施するための形態を図面に基づいて説明する。
図１は、発明の実施形態にかかる手持ち電子装置を示す概略的な説明図である。図２は、図１の手持ち電子装置を示す展開図である。図１と図２とにおいて、手持ち電子装置１００が第１ボディ１１０と第２ボディ１２０と伝動機構１３０とを含む。第２ボディ１２０が第１ボディ１１０に積み重ねられるとともに、第２ボディ１２０が第１ボディ１１０に対向する一側に凹所１２２を有する。実施形態中、第１ボディ１１０および第２ボディ１２０がそれぞれ手持ち電子装置１００のディスプレイスクリーンおよびキーボードを提供する。しかし、別な実施形態中、第２ボディ１２０が追加的なディスプレイスクリーンでありえる。
【００１１】
図３は、図１の手持ち電子装置の要部側面を示す断面図である。図２と図３とにおいて、より具体的には、伝動機構１３０が第１プレート１３２と第２プレート１３４と回転要素１３６とを含む。第１プレート１３２が第１ボディ１１０上に固定される。第２プレート１３４が第１プレートにスライドするように連結される。回転要素１３６の一端が第２ボディ１２０にピボット付けされる（pivoted）とともに、回転要素１３６の他端が第２プレート１３４にピボット付けされる。
【００１２】
それにより、第１プレート１３２が第２プレート１３４に対してスライドするとともに、第１ボディ１１０を第２ボディ１２０の凹所１２２へ向けて移動させる時、回転要素１３６が回転することにより、第１ボディ１１０を凹所１２２へ進入するよう駆動して、第１ボディ１１０のトップ表面が第２ボディ１２０のトップ表面と実質的に同一平面となるようにする。
【００１３】
手持ち電子装置１００の操作プロセスが以下に具体的に説明される。
【００１４】
図４Ａと図４Ｂとは、図１の手持ち電子装置の操作プロセスを示す概略的な説明断面図である。図３において、ユーザーがキーボードで手持ち電子装置１００を操作したい時、第１ボディ１１０が方向Ｄ１に沿って図４Ａに示す位置へ駆動されて、キーボードを第２ボディ１２０上に露出させる。プロセス中、第１ボディ１１０は、第１プレート１３２および第２プレート１３４間のスライド運動を介して、第２ボディ１２０に対して移動する。そして、図４Ａにおいて、第１ボディ１１０が方向Ｄ２に沿って図４Ｂに示す位置へ押し下げるので、第１ボディ１１０が第２ボディ１２０の凹所１２２へ進入するとともに、その中に位置するようになる。プロセス中、第１ボディ１１０は、方向Ｒ１に沿う回転要素１３６の回転を介して、凹所１２２へ駆動される。操作が終了する時、第１ボディ１１０への制限が解放でき、かつ第１ボディ１１０が図３に示す位置へ戻り、手持ち電子装置１００を収納させる。
【００１５】
図３において、実施形態の伝動機構１３０は、更に、第１弾性要素Ｓ１と、第２弾性要素Ｓ２と、第３弾性要素Ｓ３とを含む。第１弾性要素Ｓ１が第１プレート１３２および第２プレート１３４間に連接される。第１プレート１３２が第２プレート１３４に対してスライドし、かつ第１ボディ１１０を第２ボディ１２０の凹所１２２に向けて移動するよう駆動する時、第１弾性要素Ｓ１が変形して弾性ポテンシャルを蓄積する。第１弾性要素Ｓ１は、螺旋式バネ（helical spring  コイルバネとも言う  coil spring）であることができる。第１ボディ１１０が図３の位置から図４Ａの位置へ移動するプロセス中、第１弾性要素Ｓ１が引き延ばされて弾性ポテンシャルを蓄積し、第１ボディ１１０を手持ち電子装置１００の収納へ引き戻す。
【００１６】
第２弾性要素Ｓ２が回転部材１３６および第２ボディ１２０間に連接される。第２弾性要素Ｓ２は、回転要素１３６の回転を介して第１ボディ１１０が凹所１２２へ進入する時、変形して弾性ポテンシャルを蓄積する。第２弾性要素Ｓ２は、螺旋式バネであることができる。第１ボディ１１０が図４Ａの位置から図４Ｂの位置へ下向きに移動するプロセス中、第２弾性要素Ｓ２が圧縮されて弾性ポテンシャルを蓄積し、第１ボディ１１０を手持ち電子装置１００の収納へ引き戻す。
【００１７】
第３弾性要素Ｓ３が回転要素１３６および第２プレート１３４間に連接される。回転要素１３６の回転により第１ボディ１１０が凹所１２２へ進入する時、第３弾性要素Ｓ３が変形して弾性ポテンシャルを蓄積する。第３弾性要素Ｓ３は、螺旋式バネであることができる。第１ボディ１１０が図４Ａの位置から図４Ｂの位置へ下向きに移動するプロセス中、第３弾性要素Ｓ３が引き延ばされて弾性ポテンシャルを蓄積し、第１ボディ１１０を手持ち電子装置１００の収納へ引き戻す。
【００１８】
更に、図３において、第２プレート１３４がストッパー１３４ａを有し、ストッパー１３４ａおよび回転要素１３６間の構造的干渉により回転要素１３６のストローク経路を制限するために使用される。具体的には、図３に示すように第１ボディ１１０が第２ボディ１２０に対して収納する時、回転要素１３６がストッパー１３４ａに寄りかかる（lean against）とともに、方向Ｒ２に沿う回転を制限し、第１ボディ１１０が第２ボディ１２０から方向Ｒ２に沿って離れるのを防止する。
【００１９】
第１ボディ１１０を凹所１２２中に配置すること及び第１ボディ１１０を引き戻すために解放することの方式は、図５Ａと図５Ｂとに示されている。図５Ａと図５Ｂとは、図１の手持ち電子装置の展開モードを示す側面図である。図５Ａにおいて、実施形態中、第１ボディ１１０が第１要素１１２を備えるとともに、第２ボディ１２０が第２要素１２４を備える。第１ボディ１１０が凹所１２２へ進入する時、第１要素１１２および第２要素１２４が互いに固定されて、凹所１２２中に第１ボディ１１０を配置するので、手持ち電子装置１００が展開モードに保持される。第１要素１１２および第２要素１２４が互いに磁気吸引力を誘発できる磁性要素であり、磁気吸引力により共に吸引される。例えば、第１要素１１２および第２要素１２４の１つが永久磁性要素であり、他の１つがソフト（soft  帯磁・消磁しやすい）磁性要素である。さもなければ、第１要素１１２および第２要素１２４が異なる極性により構成される永久磁性要素である。また、永久磁性要素が磁石または電磁石であり、ソフト磁性要素が鉄・コバルト・ニッケルまたはそれらの組み合わせを含む。しかし、出願は、それらに限定されない。別な実施形態中、第１要素１１２および第２要素１２４が更に構造的干渉により互いを連結できる２つの噛み合ったファスナーとして構成される。
【００２０】
また、手持ち電子装置１００が更に解錠（unlock）スイッチ１４０を含み、第１ボディ１１０への連結（engagement）を解放する。実施形態中、解錠スイッチ１４０が第２ボディ１２０に配置されるとともに、第２要素１２４に連接される。第１要素１１２および第２要素１２４間の連結が解錠スイッチ１４０を押すことにより解放されて、第２要素１２４を図５Ａに示す位置から図５Ｂに示す位置へ移動するよう駆動する。しかし、出願は、解錠スイッチ１４０の位置を制限するものではない。別な実施形態中、解錠スイッチ１４０が更に第１ボディ１１０上に配置されるとともに、第１要素１１２に連接されて、第１要素１１２を第２要素１２４から移動するよう駆動する。
【００２１】
図５Ａにおいて、手持ち電子装置１００が収納される時、解錠スイッチ１４０が押されて第２要素１２４が第１要素１１２から移動するよう駆動するとともに、図５Ｂに示す位置へ移動する。従って、第１要素１１２および第２要素１２４間に供給されていた磁気吸引力が除去されて、第１要素１１２および第２要素１２４がもはや互いに連結されない。この時、第２弾性要素Ｓ２および第３弾性要素Ｓ３により蓄積された弾性ポテンシャルが解放され、それにより第１ボディ１１０が図４Ａに示した位置へ上昇する。そして、第１弾性要素Ｓ１による弾性ポテンシャルもまた解放されて第１ボディ１１０が図３に示した位置へ移動するよう駆動されるとともに、第２ボディ１２０とともに収納される。
【００２２】
手持ち電子装置１００の収納プロセス中、第１弾性要素Ｓ１と第２弾性要素Ｓ２と第３弾性要素Ｓ３とより蓄積された弾性ポテンシャルを介して第１ボディ１１０を引き戻す方式に加えて、磁性要素の磁力により第１ボディ１１０を引き戻す別な方式が更に図６Ａと図６Ｂと説明される以下の実施形態として提案される。図６Ａと図６Ｂとは、発明の別な実施形態にかかる手持ち電子装置の展開モードを示す側面図である。図６Ａにおいて、図５Ａの手持ち電子装置１００と比較して、この実施形態の電子装置１００′の第２ボディ１２０′が更に第３要素１２６を含む。第１要素１１２および第３要素１２６は、互いに磁気反発力を誘発できる磁性要素である。例えば、第１要素１１２および第３要素１２６が同一の極性により構成された磁石または電磁石である。第１ボディ１１０が第２ボディ１２０′に対してスライドするとともに、図６Ｂ中に示した位置に移動する時、第１ボディ１１０は、第１要素１１２および第３要素１２６間の磁気反発力により凹所１２２から離脱させられる。言い換えれば、第１要素１１２および第３要素１２６間の磁気反発力は、図４Ｂ中に示した第２弾性要素Ｓ２および第３弾性要素Ｓ３の弾性ポテンシャルと一緒に機能することができて、第１ボディ１１０を凹所１２２から離れるよう駆動する。しかし、この出願の別な実施形態中、手持ち電子装置は、磁性要素または解錠スイッチなしで提供される。言い換えれば、図４Ｂ中に示した第１ボディ１１０は、手動で引き戻すことができる。
【００２３】
以上のごとく、この考案を実施形態により開示したが、もとより、この考案を限定するためのものではなく、当業者であれば容易に理解できるように、この考案の技術思想の範囲内において、適当な変更ならびに修正が当然なされうるものであるから、その実用新案権保護の範囲は、実用新案請求の範囲および、それと均等な領域を基準として定めなければならない。
【符号の説明】
【００２４】
１００，１００′    手持ち電子装置
１１０    第１ボディ
１１２    第１要素
１２０，１２０′    第２ボディ
１２２    凹所
１２４    第２要素
１２６    第３要素
１３０    伝動機構
１３２    第１プレート
１３４    第２プレート
１３４ａ    ストッパー
１３６    回転要素
１４０    解錠スイッチ
Ｄ１，Ｄ２，Ｒ１，Ｒ２    方向
Ｓ１    第１弾性要素
Ｓ２    第２弾性要素
Ｓ３    第３弾性要素
【図１】
0003162460.tif 000003
【図２】
0003162460.tif 000004
【図３】
0003162460.tif 000005
【図４Ａ】
0003162460.tif 000006
【図４Ｂ】
0003162460.tif 000007
【図５Ａ】
0003162460.tif 000008
【図５Ｂ】
0003162460.tif 000009
【図６Ａ】
0003162460.tif 000010
【図６Ｂ】
0003162460.tif 000011